(57)【要約】【課題】操作つまみを操作した際に音や振動が生じず、また操作つまみの移動を停止させるストッパー機構を強い強度で簡易に構成することができる電子部品を提供すること。【解決手段】外装ケース３００の上部に操作つまみ１５１を設置し、外装ケース３００の下部に電子部品本体１０を設置する。電子部品本体１０は、回転方向に回転（揺動）する回転体５０と、回転体５０の回転によって電気的出力を変化する摺動子８０等からなる電気的機能部とを有する。回転体５０と操作つまみ１５１の間を外装ケース３００に設けた開口３０１内を通過する連結部１５３によって連結し、操作つまみ１５１を駆動して操作つまみ１５１とともに回転体５０を回転することで電気的機能部の電気的出力を変化させる。連結部１５３に、連結部１５３が回転して外装ケース３００の開口３０１の内周面３０３ａ，ｃに当接した際の衝撃を吸収する衝撃吸収部材１８０を取り付ける。【選択図】図１
2010010386.tif 000002
【特許請求の範囲】
【請求項１】
外装ケースの上部に操作つまみを設置し、外装ケースの下部に電子部品本体を設置し、
前記電子部品本体は、回転方向またはスライド方向に移動する移動体と、移動体の移動によって電気的出力を変化する電気的機能部とを有し、
前記移動体と前記操作つまみの間を外装ケースに設けた開口内を通過する連結部によって連結し、前記操作つまみを駆動して操作つまみとともに移動体を移動することで電気的機能部の電気的出力を変化する電子部品において、
前記連結部に、この連結部が移動して前記外装ケースの開口の内周面に当接した際の衝撃を吸収する衝撃吸収部材を取り付けたことを特徴とする電子部品。
【請求項２】
請求項１に記載の電子部品において、
前記連結部には、連結部の移動方向に向かう貫通孔を設け、この貫通孔内に衝撃吸収部材を挿入し、この貫通孔から突出する衝撃吸収部材の両端を前記外装ケースの開口の内周面に当接させる当接面としたことを特徴とする電子部品。
【請求項３】
請求項２に記載の電子部品において、
前記衝撃吸収部材は、前記貫通孔に挿入される部分よりも貫通孔から外部に突出するその両端部分の外形寸法を大きく形成していることを特徴とする電子部品。
【発明の詳細な説明】
【技術分野】
【０００１】
本発明は、回転式電子部品等の電子部品に関するものである。
【背景技術】
【０００２】
従来、回転式電子部品の中には、例えば特許文献１に示すように、ケース（２００）の下面側に回転式電子部品（揺動式電子部品）を設置し、この回転式電子部品の上部から突出する操作つまみ（突出部）（２１１）をケース（２００）に設けた開口（２０１）を通してケース（２００）の上面側に突出し、この操作つまみ（２１１）を左右に回動（揺動）することで前記回転式電子部品を操作する構造のものがある。
【０００３】
そしてこの種の従来の回転式電子部品においては、回転式電子部品の内部にストッパー機構を有しており（例えば特許文献１の場合は図２に示すストッパー用の係止部（２７））、このストッパー機構によって操作つまみ（２１１）と一体に回転する回転体（回転側部材）５０の回転範囲を規制している。
【０００４】
しかしながら操作つまみ（２１１）をストッパー機構による停止位置まで左右に回動した際、特許文献１の係止部（２７）に回転体（５０）の所定部分が当接し、音や振動が生じるという問題があり、これを防止する有効な手段が望まれていた。これらの音及び振動は、この回転式電子部品を例えばデジタルビデオカメラの操作つまみ等として利用した場合、その録音に雑音として収録されてしまう等の不都合を生じる。
【０００５】
また上記従来の回転式電子部品は、その小型・薄型化などのために前記ストッパー機構も小型化され、その強度が十分に保てなくなってきていた。
【特許文献１】特開２００３−１９７４０７号公報
【発明の開示】
【発明が解決しようとする課題】
【０００６】
本発明は上述の点に鑑みてなされたものでありその目的は、回転式電子部品等の操作つまみを操作した際に音や振動が生じず、また操作つまみの移動を停止させるストッパー機構を強い強度で簡易に構成することができる電子部品を提供することにある。
【課題を解決するための手段】
【０００７】
本願請求項１に記載の発明は、外装ケースの上部に操作つまみを設置し、外装ケースの下部に電子部品本体を設置し、前記電子部品本体は、回転方向またはスライド方向に移動する移動体と、移動体の移動によって電気的出力を変化する電気的機能部とを有し、前記移動体と前記操作つまみの間を外装ケースに設けた開口内を通過する連結部によって連結し、前記操作つまみを駆動して操作つまみとともに移動体を移動することで電気的機能部の電気的出力を変化する電子部品において、前記連結部に、この連結部が移動して前記外装ケースの開口の内周面に当接した際の衝撃を吸収する衝撃吸収部材を取り付けたことを特徴とする電子部品にある。
【０００８】
本願請求項２に記載の発明は、請求項１に記載の電子部品において、前記連結部には、連結部の移動方向に向かう貫通孔を設け、この貫通孔内に衝撃吸収部材を挿入し、この貫通孔から突出する衝撃吸収部材の両端を前記外装ケースの開口の内周面に当接させる当接面としたことを特徴とする電子部品にある。
【０００９】
本願請求項３に記載の発明は、請求項２に記載の電子部品において、前記衝撃吸収部材は、前記貫通孔に挿入される部分よりも貫通孔から外部に突出するその両端部分の外形寸法を大きく形成していることを特徴とする電子部品にある。
【発明の効果】
【００１０】
請求項１に記載の発明によれば、連結部に取り付けた衝撃吸収部材を外装ケースの開口の内周面に当接させるので、操作つまみを操作した際に生じる音と振動の発生を防止することができる。同時に前記当接によってストッパー機構を構成でき、これによって別途電子部品にストッパー機構を設ける必要がなくなり、電子部品の小型・薄型化が図れる。しかも外装ケースは外部からの衝撃等に絶えるように強い強度を有する材質・厚みなどで設計されているので、ストッパー機構の強度を容易に強く維持することができる。
【００１１】
請求項２に記載の発明によれば、貫通孔内に衝撃吸収部材を挿入するので、連結部への衝撃吸収部材の取り付けが容易に行え、また衝撃吸収部材を貫通孔内で保持するので、その保持が確実になる。またその両面を当接面にできるので衝撃吸収部材を１つの部品のみで構成することができる。
【００１２】
請求項３に記載の発明によれば、衝撃吸収部材が貫通孔から抜け出ることを確実に防止することができる。また当接面の表面積を容易に大きくすることができ、より効果的に当接面の当接による消音・防振効果を得ることができる。
【発明を実施するための最良の形態】
【００１３】
以下、本発明の実施形態を図面を参照して詳細に説明する。図１は電子部品（以下「回転式電子部品」という）１の概略横断面図（図２のＡ−Ａ断面矢視図）、図２は回転式電子部品１の概略縦断面図（図１のＢ−Ｂ断面矢視図）、図３は分解斜視図である。これらの図に示すように回転式電子部品１は、外装ケース３００の下面側に電子部品本体１０を設置し、電子部品本体１０の上部に設置した操作つまみ体１５０の上面から突出する操作つまみ１５１を外装ケース３００に設けた開口３０１を通して外装ケース３００の上部に設置し、前記操作つまみ１５１を左右に回転（揺動）することで前記電子部品本体１０内の電気的機能部の電気的出力を変化するように構成されている。以下各構成部品について説明する。なお以下の説明において、「上」とは電子部品本体１０から外装ケース３００側を向く方向をいい、「下」とはその反対側を向く方向を言うものとする。
【００１４】
電子部品本体１０は、図３に示すように、第１，第２ケース２０，４０と、第１ケース２０に円弧状に回転（揺動）するように収納される回転体（揺動体）５０と、回転体５０の回転によって電気的出力を変化する電気的機能部（下記する摺動子８０及び摺接パターン１３７からなる）と、回転体５０の第１ケース２０側を向く面に収納される自動復帰機構用の弾発手段（以下「コイルバネ」という）９０と、第２ケース４０の回転体５０側を向く面に取り付けられる回路基板（以下「フレキシブル回路基板」という）１３０と、これら各部品を取り付ける取付台１４０とを具備して構成されている。なお図４は前記第１ケース２０とコイルバネ９０と回転体５０とを図３の反対面側の下面側から見た斜視図である。
【００１５】
第１，第２ケース２０，４０は、何れも合成樹脂（この実施形態ではＡＢＳ樹脂を用いているが、他の合成樹脂材料を用いても良い）の成形品であり、両者で１つのケースを構成するものである。第１ケース２０はその外形が略矩形状であり、その上面１１はその長手方向に向かって上方向に凸となる円弧状の湾曲面となっている。第１ケース２０の回転体５０側を向く面には、回転体５０を収納する空間からなる収納部１３が設けられ、収納部１３の上部には上面１１を長手方向に向かって切り欠いてなる開口部１５が設けられている。収納部１３は前記回転体５０を収納してこの回転体５０を円弧状にスライド移動させるように略円弧状（中央が上方向に凸に湾曲する）の凹部となっている。収納部１３内部の左右両側中央からは平板状（上方向に凸に湾曲する）のコイル係止部１９，１９が突出している（図３では一方のコイル係止部１９のみ示す）。収納部１３内部の奥側の面、即ちケース側面２７（回転中心軸に直交する面）には、円弧状に湾曲して貫通する第１係止突起挿通孔２１が設けられている。また第２ケース４０側を向く面の両端部には、第２ケース４０側に向かって突出する小突起状の取付部２５，２５が設けられ、また第１ケース２０の下面の所定位置（４ヶ所）には下方向に向かって突出する小突起状の係止取付部２７が設けられている。
【００１６】
第２ケース４０は略平板状に成形され、前記第１ケース２０の収納部１３を塞ぐように、第１ケース２０の第２ケース４０側の面の外形形状とほぼ同一の外形形状を有している。第２ケース４０の第１ケース２０側の面は基板載置面４１となっている。第２ケース４０の左右両側の前記取付部２５，２５に対向する位置にはこれら取付部２５，２５を挿入する貫通孔からなる取付係合部４３，４３が設けられ、また第２ケース４０の上部中央には円弧状に湾曲して貫通する第２係止突起挿通孔４５が設けられている。
【００１７】
回転体５０は合成樹脂（この実施形態ではＰＯＭ樹脂を用いているが、他の各種合成樹脂材を用いても良い）を成形することで形成されており、全体として略矩形状の本体部５１の上面中央に略矩形状の凹部からなるつまみ圧入部５３を設けて構成されている。本体部５１は四角柱を長手方向に円弧状に湾曲させた形状であり、第１ケース２０側を向く面に長手方向に向けて前記円弧に合わせて円弧状に湾曲する略矩形状のコイル収納部５４を設けている。本体部５１は第１ケース２０の収納部１３に収納され、収納部１３内を左右に円弧状に摺動する外形形状に形成されている。コイル収納部５４の左右両端には第１ケース２０のコイル係止部１９，１９をコイル収納部５４内に挿入するためのスリット状の切り欠きからなる挿通部５５，５５が設けられている。回転体５０の第１ケース２０側を向く面の下部中央（コイル収納部５４の下側）には、第１ケース２０側に向かって突出する略平板状の係止突起（以下「第１係止突起」という）５９が設けられている。第１係止突起５９は第１ケース２０の第１係止突起挿入孔２１に挿入されて左右に移動できる寸法形状に形成されている。一方回転体５０の第２ケース３０側を向く面の中央には、平面状の電気的機能部設置部６５が設けられ、電気的機能部設置部６５の上部中央には第２ケース３０側に向かって突出する略平板状の係止突起（以下「第２係止突起」という）６７が設けられている。第２係止突起６７は第２ケース３０の円弧状の第２係止突起挿通孔４５に挿入されて左右に移動できる寸法形状に形成されている。電気的機能部設置部６５の面には、下記する摺動子８０を取り付けるための小突起６９が設けられている。
【００１８】
摺動子８０は弾性金属板製の矩形状の基部８１の１辺から２本の摺動冊子８３を突出し、その根元部分を基部８１の一方の面側に約１８０°折り返してそれらの先端に摺動接点８５を設けて構成されている。基部８１には小孔８７が設けられている。
【００１９】
コイルバネ９０は圧縮方向に弾発力を有する圧縮コイルバネであり、その両端には消音用の弾性体（この実施形態では合成ゴム）からなるバネ受け９１，９１が取れ付けられている。
【００２０】
フレキシブル回路基板１３０は合成樹脂フイルム（この実施形態ではポリエチレンテレフタレート（ＰＥＴ）フイルムを用いているが、他の各種合成樹脂材を用いたフイルムでもよい）を前記第２ケース４０の外形形状と略同一の外形形状に形成し、その左右両側に第１ケース２０の取付部２５，２５を挿通する貫通孔からなる挿通部１３５，１３５を設けて構成されている。フレキシブル回路基板１３０の回転体５０側を向く表面には円弧状の摺接パターン１３１が設けられている。フレキシブル回路基板１３０の下部には略帯状の引出部１３９が接続されており、前記摺接パターン１３１の出力は引出部１３９を通して外部に引き出される。引出部１３９は組み立ての際、フレキシブル回路基板１３０と連結している連結部分１３７で略直角に折り曲げられる。なお摺接パターン１３１はスイッチパターンであってもよいし、抵抗体パターンであっても良く、さらにそれら以外の機能を有するパターンであっても良い。
【００２１】
取付台１４０は平板状の硬質板（金属板でも良いし合成樹脂板でも良い）であり、前記第１ケース２０に設けた複数（４つ）の係止取付部２７をそれぞれ挿入する貫通孔からなる挿入取付部１４１を設けて構成されている。
【００２２】
図５は操作つまみ体１５０を下面側から見た斜視図、図６は操作つまみ体１５０の断面図（図１と同一部分の断面図）である。図３及び図５，図６に示すように操作つまみ体１５０は、合成樹脂（この実施形態ではＡＢＳ樹脂であるが、他の各種樹脂材でも良い）の一体成形品であり、その上面中央の略矩形平板状の操作つまみ１５１の下部中央から連結部１５３を突出し、連結部１５３の下部に円弧状の湾曲板からなるカバー部１５５を取り付け、さらにカバー部１５５の下面から下方向に向かって一対の係止片１５７，１５９と、矩形状の圧入係合部１６１とを突出して構成されている。
【００２３】
連結部１５３は前記操作つまみ１５１の長手方向全体に亘る長さを有し、その中央に下記する操作つまみ１５１の移動方向に向かって貫通する矩形状の貫通孔１５４を設けて構成されている。カバー部１５５は平板状で上方向に凸となる円弧状の湾曲面形状（円筒の一部の面形状）に形成されている。一対の係止片１５７，１５９の内、一方の係止片１５７は他方の係止片１５９よりもその長さが長く、略平板矩形状であってその先端（下端）近傍の中央には矩形状の開口からなる係止部１６３が設けられている。係止部１６３は前記回転体５０の第１係止突起５９をぴったりまたは所定の遊びをもって挿入できる寸法形状に形成されている。係止片１５９はコ字状に形成することでその中央に矩形状の開口からなる係止部１６５を設けている。係止部１６５は回転体５０の第２係止突起６７を所定の遊びをもって挿入できる寸法形状に形成されている。なおこれら係止片１５７，１５９は両者が対向する方向に向かって撓む弾性を有している。圧入係合部１６１は回転体５０に設けたつまみ圧入部５３に圧入される寸法形状に形成されている。
【００２４】
連結部１５３に設けた貫通孔１５４には、衝撃吸収部材１８０が挿入され取り付けられる。衝撃吸収部材１８０は図３に示すように、前記貫通孔１５４に略ぴったり挿入される矩形状の挿入部１８１と、挿入部１８１の両端部に設けられる幅方向（水平方向、左右方向）に張り出すつば部１８２とを一体に有して構成されている。つまりこの実施形態においては衝撃吸収部材１８０は貫通孔１５４に挿入される部分よりも貫通孔１５４から外部に突出するその両端部分の外形寸法を大きく形成している。衝撃吸収部材１８０の両端面は下記する外装ケース３００の内周面３０３ａ，３０３ｃに当接する当接面１８３になっている。衝撃吸収部材１８０は弾性を有するクッション材にて構成されており、その材質はゴム弾性を有する材料（ゴム製又は合成樹脂製の弾性体）であり、この例では衝撃吸収部材１８０として、高発泡ウレタンフォーム又は高発泡シリコンフォーム（例えば株式会社ロジャースイノアックの商品名「ポロン（ＰＯＲＯＮ）」又は「ナンネックス（ＮａｎＮｅｘ）」）を用いている。何れの部材においても、高い衝撃（振動）吸収性と、低圧縮残留性（いわゆるヘタリが小さい）とを有している。もちろん他の各種弾性材料を用いて衝撃吸収部材１８０を構成しても良い。
【００２５】
外装ケース３００は、この回転式電子部品１を組み付ける電気製品（例えば携帯用のデジタルカメラやデジタルビデオなどの携帯機器）の外装を形成する外装ケースであり、その所定位置に略矩形状の開口３０１が設けられている。外装ケース３００は各種合成樹脂で構成されており、外部からの衝撃等に絶えるように強い強度を有する材質・厚みなどで設計されている。開口３０１は前記操作つまみ体１５０の操作つまみ１５１を挿通する寸法形状を有している。なお開口３０１の寸法形状が操作つまみ１５１の寸法形状より小さくても、操作つまみ１５１を開口３０１の下面側から斜めにするなどして挿入できる寸法であれば良い。そして開口３０１の４辺からなる内周面の内の対向する一方の一対の内周面３０３ａ，３０３ｃが前記操作つまみ体１５０を回転（揺動）した際に前記衝撃吸収部材１８０の当接面１８３が当接する面となる。
【００２６】
次に回転式電子部品１の組立方法を説明する。まず予め回転体５０の電気的機能部設置部６５に摺動子８０の基部８１を当接し、その際基部８１の小孔８７に小突起６９を挿入しその先端を熱かしめして固定する。一方回転体５０のコイル収納部５４に両端にバネ受９１を取り付けたコイルバネ９０を収納する。また操作つまみ体１５０の貫通孔１５４に衝撃吸収部材１８０を挿入する。衝撃吸収部材１８０はゴム状弾性を有しているので、貫通孔１５４内に容易に挿入でき、また衝撃吸収部材１８０両端のつば部１８２は貫通孔１５４の両出口外側に露出している。
【００２７】
そして摺動子８０とコイルバネ９０とを取り付けた回転体５０を、第１ケース２０の収納部１３に収納し、次にその後方にフレキシブル回路基板１３０と第２ケース４０とを設置する。その際第１ケース２０に設けた取付部２５，２５がフレキシブル回路基板１３０の挿通部１３５，１３５と第２ケース４０の取付係合部４３，４３に挿入されるので、第２ケース４０の反対面側に突出した取付部２５，２５の先端を熱かしめしてこれら各部材を一体化する。このとき回転体５０のつまみ圧入部５３は第１ケース２０の開口部１５内に露出し、また第１係止突起５９は第１ケース２０の第１係止突起挿入孔２１に挿入されてその反対面側に突出し、また第２係止突起６７は第２ケース４０の第２係止突起挿通孔４５に挿入されてその反対面側に突出している。そしてフレキシブル回路基板１３０に連結されている引出部１３９を第２ケース４０側に略９０°折り曲げた状態で第１ケース２０を取付台１４０上に載置し、その際取付台１４０に設けた挿入取付部１４１に第１ケース２０の各係止取付部２７を挿入して取付台１４０の下面に突出し、これら各係止取付部２７の先端を熱かしめして固定する。これによって電子部品本体１０が完成する。次に電子部品本体１０の上部に操作つまみ体１５０を設置し、その際操作つまみ体１５０の圧入係合部１６１を前記第１ケース２０の開口部１５内に露出するつまみ圧入部５３に圧入し、このとき同時に操作つまみ１５０の可撓性を有する両係止片１５７，１５９の係止部１６３，１６５にそれぞれ回転体５０の第１係止突起５９及び第２係止突起６７をスナップイン係合する。なおこの実施形態においては回転体５０と操作つまみ体１５０との結合は主としてつまみ圧入部５３と圧入係合部１６１とによって行われ、係止部１６３，１６５と第１，第２係止突起５９，６７との係合は補助的に行われている。なおこのとき第１ケース２０に設けた両コイル係止部１９の先端にそれぞれバネ受９１の端面が当接している。
【００２８】
そして上記電子部品本体１０を外装ケース３００の下面側に設置し、その際図１に示すように、操作つまみ体１５０の操作つまみ１５１の部分を外装ケース３００の開口３０１内にその下面側から挿入し、外装ケース３００の上面側に突出させる。このとき開口３０１の部分には連結部１５３が位置している。なお上記組立手順はその一例であり、他の各種異なる組立手順を用いて組み立てても良いことはいうまでもない。
【００２９】
以上のようにして構成された回転式電子部品１において、中立位置（中央位置）にある操作つまみ１５１を図１の矢印Ｅ方向に回転（揺動）すると、これと一体に回転体５０が回転し、これによって摺動子８０が摺接パターン１３１上を摺動し、その電気的出力が変化する。このとき回転した回転体５０の一方の挿通部５５に第１ケース２０の一方のコイル係止部１９がコイル収納部５４内に入り込み、コイルバネ９０の一方のバネ受９１を押圧してコイルバネ９０をコイル収納部５４内で圧縮し、中立位置への自動復帰力が生じる。そして操作つまみ１５１を回転し切ると、図７に示すように、連結部１５３に取り付けた衝撃吸収部材１８０の一方の当接面１８３が、外装ケース３００の開口３０１の一方の内周面３０３ｃに当接し、その回転が停止される。つまり連結部１５３に取り付けた衝撃吸収部材１８０と外装ケース３００の開口３０１の内周面３０３ａ，３０３ｃとがストッパ機構を構成し、これによって別途電子部品１にストッパー機構を設ける必要がなくなり、電子部品の小型・薄型化が図れる。しかも前述のように外装ケース３００は外部からの衝撃等に絶えるように強い強度を有する材質・厚みなどで設計されているので、ストッパー機構の強度を容易に強く維持することができる。
【００３０】
そして開口３０１の内周面３０３ｃに当接するのは衝撃吸収部材１８０の当接面１８３なので、当接によって生じる音と振動の発生を防止することができる。
【００３１】
次に前記操作つまみ１５１への回転力を解除すれば、操作つまみ１５１は元の中立位置に自動復帰し、電気的出力も元の中立位置の出力になる。
【００３２】
以上説明したように、電子部品１は、外装ケース３００の上部に操作つまみ１５１を設置し、外装ケース３００の下部に電子部品本体１０を設置し、電子部品本体１０は、回転方向に回転（移動）する回転体５０と、回転体５０の回転によって電気的出力を変化する摺動子８０及び摺接パターン１３１からなる電気的機能部とを有し、回転体５０と操作つまみ１５１の間を外装ケース３００に設けた開口３０１内を通過する連結部１５３によって連結し、操作つまみ１５１を駆動して操作つまみ１５１とともに回転体５０を回転することで電気的機能部の電気的出力を変化する構造であり、連結部１５３に、この連結部１５３が回転して外装ケース３０の開口３０１の内周面３０３ａ，３０３ｃに当接した際の衝撃を吸収する衝撃吸収部材１８０を取り付けて構成されている。
【００３３】
またこの実施形態にかかる電子部品１によれば、連結部１５３に、連結部１５３の回転方向に向かう貫通孔１５４を設け、この貫通孔１５４内に衝撃吸収部材１８０を挿入し、この貫通孔１５４から突出する衝撃吸収部材１８０の両端を外装ケース３００の開口３０１の内周面３０３ａ，３０３ｃに当接させる当接面１８３としたので、連結部１５３への衝撃吸収部材１８０の取り付けが容易に行え、また衝撃吸収部材１８０を貫通孔１５４内で保持するので、その保持が確実になる。またその両面を当接面１８３にできるので衝撃吸収部材１８０を１つの部品のみで構成することができ、部品点数の削減及び組み立ての容易化を図ることができる。
【００３４】
またこの実施形態にかかる電子部品１によれば、衝撃吸収部材１８０を、貫通孔１５４に挿入される部分よりも貫通孔１５４から外部に突出するその両端部分の外形寸法を大きく形成しているので、衝撃吸収部材１８０が貫通孔１５４から抜け出ることを確実に防止することができる。また当接面１８３の表面積を容易に大きくすることができ、より効果的に当接面１８３の当接による消音・防振効果を得ることができる。
【００３５】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では移動体である回転体５０の移動方向として回転方向を示したが、その代わりに直線方向であっても良い。移動体が直線方向に移動する場合はスライド式電子部品となる。またこれら回転方向及びスライド方向とは、正確な直線方向及び円方向以外の各種曲線方向をも含む概念である。
【００３６】
また外装ケース３００や操作つまみ１５１や回転体５０やその他の電子部品本体１０を構成する各部品の形状，構造にも種々の変更が可能であり、例えば連結部１５３を操作つまみ１５１に一体に設ける代わりに、連結部１５３を移動体５０側に一体に設けても良い。また連結部１５３は操作つまみ１５１及び移動体５０と一体に設けても良いし、逆に連結部１５３は操作つまみ１５１や移動体５０とは別部品として設けても良い。
【００３７】
また上記実施形態では衝撃吸収部材１８０を１部品で構成したが、２部品で構成してそれぞれを連結部１５３の両側（開口３０１の内周面３０３ａ，３０３ｃに対向する面）に取り付けても良い。また場合によっては開口３０１の何れか一方の内周面３０３ａ，３０３ｃに対向する面のみに設けても良い。またこの実施形態では電気的機能部として摺動子８０及び摺接パターン１３１を用いたが、電気的機能部としてはこの構造のものに限定されず、要は移動体の移動によって電気的出力を変化する電気的機能部であればどのような構成のものであっても良い。
【図面の簡単な説明】
【００３８】
【図１】回転式電子部品１の概略横断面図（図２のＡ−Ａ断面矢視図）である。
【図２】回転式電子部品１の概略縦断面図（図１のＢ−Ｂ断面矢視図）である。
【図３】回転式電子部品１の分解斜視図である。
【図４】第１ケース２０とコイルバネ９０と回転体５０とを図３の反対面側の下面側から見た斜視図である。
【図５】操作つまみ体１５０を下面側から見た斜視図である。
【図６】操作つまみ体１５０の断面図（図１と同一部分の断面図）である。
【図７】回転式電子部品１の動作説明図である。
【符号の説明】
【００３９】
１  回転式電子部品（電子部品）
１０  電子部品本体
２０  第１ケース
４０  第２ケース
５０  回転体（移動体）
８０  摺動子（電気的機能部）
９０  コイルバネ（弾発手段）
１３０  フレキシブル回路基板（回路基板）
１３１  摺接パターン（電気的機能部）
１４０  取付台
１５１  操作つまみ
１５３  連結部
１５４  貫通孔
１８０  衝撃吸収部材
１８３  当接面
３００  外装ケース
３０１  開口
３０３ａ，３０３ｃ  内周面
【図１】
2010010386.tif 000003
【図２】
2010010386.tif 000004
【図３】
2010010386.tif 000005
【図４】
2010010386.tif 000006
【図５】
2010010386.tif 000007
【図６】
2010010386.tif 000008
【図７】
2010010386.tif 000009